【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
持続性配分を受信する方法であって、
第１持続性配分を第１論理マッピングを用いて指定する第１情報要素を受信する工程と；
第２論理マッピングを有する無効にされた配分の指標を受信する工程と；
第２論理マッピングが第１論理マッピングよりも論理的に後に生じる場合、第１持続性配分に従って動作を継続する工程と、
を含む方法。
【請求項２】
無効にされた配分の指標は、配分解除された持続性配分の大きさの指標を含む、請求項１に記載の方法。
【請求項３】
第２論理マッピングが第１論理マッピングよりも論理的に早く生じる場合、新たな持続性配分を決定する工程を更に含む、請求項１に記載の方法。
【請求項４】
無効にされた配分の大きさを指定する情報要素を受信する工程を更に含む、請求項３に記載の方法。
【請求項５】
第１持続性配分はダウンリンク配分である、請求項１に記載の方法。
【請求項６】
持続性資源を効率的に割り当てる方法において、
それぞれ第１クライアント局、第２クライアント局、および第３クライアント局に対する第１持続性配分、第２持続性配分、および第３持続性配分を指定する１つ以上の情報要素を送信する工程であって、第１持続性配分、第２持続性配分、および第３持続性配分は、論理マッピングにおいて番号順に生じる工程と；
第２クライアント局に第２持続性配分における動作を停止するよう命令するマスクを含む後続情報要素を送信する工程と、
を含む方法。
【請求項７】
前記後続情報要素に無効にされた配分の大きさの指標を含める工程を更に含む、請求項６に記載の方法。
【請求項８】
持続性資源を効率的に割り当てる基地局において、
それぞれ第１クライアント局、第２クライアント局、および第３クライアント局に対する第１持続性配分、第２持続性配分、および第３持続性配分を指定する１つ以上の情報要素を送信するための送信器であって、第１持続性配分、第２持続性配分、および第３持続性配分は、論理マッピングにおいて番号順に生じる送信器を備え、
前記送信器は、第２クライアント局に第２持続性配分における動作を停止するよう命令するマスクを用いて後続情報要素を送信するように構成されている、基地局。
【請求項９】
前記後続情報要素は第２持続性配分の大きさの指標を含む、請求項８に記載の基地局。
【請求項１０】
１つ以上のプロセッサに実行させるための一組の命令を記録した機械可読媒体であって、前記命令は、
それぞれ第１クライアント局、第２クライアント局、および第３クライアント局に対する第１持続性配分、第２持続性配分、および第３持続性配分を指定する１つ以上の情報要素を送信する第１の命令であって、第１持続性配分、第２持続性配分、および第３持続性配分は、論理マッピングにおいて番号順に生じる第１の送信命令と；
第２クライアント局に第２持続性配分における動作を停止するように命令するマスクを用いて後続情報要素を送信する第２の送信命令と、
を含む機械可読媒体。
【請求項１１】
無線クライアント局であって、
第１持続性配分を第１論理マッピングを用いて指定する第１情報要素を受信するための受信器を備え、
前記受信器は、第２論理マッピングを有する無効にされた配分の指標を受信するように構成されており、
前記受信器は、第２論理マッピングが第１論理マッピングよりも論理的に後に生じる場合、第１持続性配分に従って動作を継続するように構成されている、無線クライアント局。
【請求項１２】
無効にされた配分の指標は配分解除された持続性配分の大きさの指標を含む、請求項１１に記載の無線クライアント局。
【請求項１３】
資源マッパをさらに備え、該資源マッパは、第２論理マッピングが第１論理マッピングよりも論理的に早く生じる場合、新たな持続性配分を決定するように構成されている、請求項１１に記載の無線クライアント局。
【請求項１４】
前記受信器は、無効にされた配分の大きさを指定する第２情報要素を受信するように構成されている、請求項１３に記載の無線クライアント局。
【請求項１５】
第１持続性配分はダウンリンク配分である、請求項１１に記載の無線クライアント局。
【請求項１６】
１つ以上のプロセッサに実行させるための一組の命令を記録した機械可読媒体であって、前記命令は、
第１持続性配分を第１論理マッピングを用いて指定する第１情報要素を受信する第１の受信命令と；
第２論理マッピングを有する無効にされた配分の指標を受信する第２の受信命令と；
第２論理マッピングが第１論理マッピングよりも論理的に後に生じる場合、第１持続性配分に従って動作を継続する動作命令と、
を含む機械可読媒体。
【請求項１７】
持続性資源を効率的に割り当てる方法において、
それぞれ第１クライアント局、第２クライアント局、および第３クライアント局に対する第１持続性配分、第２持続性配分、および第３持続性配分を指定する１つ以上の情報要素を送信する工程であって、第１持続性配分、第２持続性配分、および第３持続性配分は、論理マッピングにおいて番号順に生じる工程と；
第２持続性配分の更新の必要性を判断する工程と；
開始位置、修正した第２配分、および修正した第３配分を指定する後続情報要素を送信する工程であって、配分開始部は、以前に割り当てられた１組の配分と、前記後続情報要素によって定義された１組の配分との間の境界を論理マッピングを用いて示す工程と、
を含む方法。
【請求項１８】
持続性配分を受信する方法であって、
固定点において生じる第１持続性配分を論理マッピングを用いて指定する第１情報要素を受信する工程と；
論理マッピング内の変化点を示す配分開始部を指定する第２情報要素を受信する工程と；
固定点が変化点よりも論理的に前に生じる場合、第１持続性配分に従って動作を継続する工程と、
を含む方法。
【請求項１９】
固定点が変化点よりも論理的に後に生じる場合、第２情報要素に基づき、新たな持続性配分に従って動作する工程を更に含む、請求項１８に記載の方法。
【請求項２０】
固定点が変化点よりも論理的に後に生じ、新たな持続性配分が第２情報要素に含まれない場合、第１持続性配分に従って動作を停止する工程を更に含む、請求項１８に記載の方法。
【請求項２１】
無線通信ユニットにおいて、
それぞれ第１クライアント局、第２クライアント局、および第３クライアント局に対する第１持続性配分、第２持続性配分、および第３持続性配分を指定する１つ以上の情報要素を送信するための送信器であって、第１持続性配分、第２持続性配分、および第３持続性配分は、論理マッピングにおいて番号順に生じる送信器と、
第２持続性配分の更新の必要性を判断するための持続性候補プロセッサと、を備え、
前記送信器は、開始位置、修正した第２配分、および修正した第３配分を指定する後続情報要素を送信するように構成されており、配分開始部は、以前に割り当てられた１組の配分と、前記後続情報要素によって定義された１組の配分との間の境界を論理マッピングを用いて示す、無線通信ユニット。
【請求項２２】
無線通信ユニットであって、
固定点において生じる第１持続性配分を論理マッピングを用いて指定する第１情報要素を受信するための受信器を備え、
前記受信器は、論理マッピング内の変化点を示す配分開始部を指定する第２情報要素を受信するように構成されており；
前記受信器は、固定点が変化点よりも論理的に前に生じる場合、第１持続性配分に従って動作を継続するように構成されている、無線通信ユニット。
【請求項２３】
前記受信器は、固定点が変化点よりも論理的に後に生じる場合、第２情報要素に基づき、新たな持続性配分に従って動作するように構成されている、請求項２２に記載の無線通信ユニット。
【請求項２４】
第１持続性配分はダウンリンク配分である、請求項２２に記載の無線通信ユニット。